(57)【要約】【課題】  産業排水を廃水処理施設で処理した際に発生する余剰汚泥を、より効率的に減量化することのできる余剰汚泥減量設備を提供する。【解決手段】  廃水処理施設２の余剰汚泥濃縮槽１５から移送される余剰汚泥Ｓと、曝気槽１１から移送される余剰汚泥Ｓと、放流槽１６から移送される処理水Ｗを貯留し、内部にオゾン混和槽用循環ポンプ３６を有するオゾン混和槽３５を備える。オゾン混和槽３５に貯留した余剰汚泥Ｓと処理水との混合汚水を、混気ポンプ４５で循環させ、その循環途中に、高濃度オゾンを注入する循環機構４４を備える。これにより、混合汚水を清浄化した処理水Ｗに生成する【選択図】      図２
2010221077.tif 000002
【特許請求の範囲】
【請求項１】
産業排水を廃水処理施設（２）で処理した際に発生する余剰汚泥（Ｓ）を連続的に処理する定置式の設備であって、前記廃水処理施設の余剰汚泥濃縮槽（１５）から余剰汚泥圧送ポンプ（１８）によって移送される余剰汚泥と，前記廃水処理施設の曝気槽（１１）から曝気槽用圧送ポンプ（１２）によって移送される余剰汚泥と，前記廃水処理施設の放流槽（１６）から放流槽用圧送ポンプ（１７）によって移送される処理水（Ｗ）を貯留し，内部にオゾン混和槽用循環ポンプ（３６）を備えるオゾン混和槽（３５）と、前記オゾン混和槽に貯留した前記余剰汚泥と処理水との混合汚水を，吸水管（４２）および混合管（４６）を通して混気ポンプ（４５）で一定時間繰り返し循環させ，その循環途中に、オゾン発生機（４０）で発生させた高濃度オゾンを注入した後，超微細気泡装置（４７）を通過させ，前記混合汚水を清浄化した処理水に生成する循環機構（４４）と、前記オゾン混和槽の前記処理水が，処理水移送ポンプ（３８）によって移送管（３９）を通して移送された後，処理水圧送ポンプ（３１）によって処理水移送管（６４）を通して前記廃水処理施設の放流槽へ送られるまで貯留する処理水貯留槽（３０）と、前記オゾン混和槽で溶解しなかった排オゾンを規定濃度以下に処理して放出する排オゾン除去装置（５０）と、を備えることを特徴とする余剰汚泥減量設備。
【請求項２】
産業排水を廃水処理施設（２）で処理した際に発生する余剰汚泥（Ｓ）を連続的に処理する定置式の設備であって、前記廃水処理施設の余剰汚泥濃縮槽（１５）から余剰汚泥圧送ポンプ（１８）によって移送される余剰汚泥と，前記廃水処理施設の曝気槽（１１）から曝気槽用圧送ポンプ（１２）によって移送される余剰汚泥と，前記廃水処理施設の放流槽（１６）から放流槽用圧送ポンプ（１７）によって移送される処理水（Ｗ）を貯留し，内部にオゾン混和槽用循環ポンプ（３６）を備えるオゾン混和槽（３５）と、前記オゾン混和槽に貯留した前記余剰汚泥と処理水との混合汚水を，吸水管（４２）および混合管（４６）を通して混気ポンプ（４５）で一定時間繰り返し循環させ，その循環途中に，オゾン発生機（４０）で発生させた高濃度オゾンを注入した後，超微細気泡装置（４７）を通過させ，前記混合汚水を清浄化した処理水に生成する循環機構（４４）と、前記オゾン混和槽の前記処理水が，処理水移送ポンプ（３８）によって移送管（３９）を通して移送された後，処理水圧送ポンプ（３１）によって処理水移送管（６４）を通して前記廃水処理施設の沈殿槽越流堰（１４）を介して放流槽へ送られるまで貯留する処理水貯留槽（３０）と、前記オゾン混和槽で溶解しなかった排オゾンを規定濃度以下に処理して放出する排オゾン除去装置（５０）と、を備えることを特徴とする余剰汚泥減量設備。
【請求項３】
産業排水を廃水処理施設（２）で処理した際に発生する余剰汚泥（Ｓ）を連続的に処理する移動式の設備であって、前記廃水処理施設の余剰汚泥濃縮槽（１５）から余剰汚泥圧送ポンプ（１８）によって移送される余剰汚泥と，前記廃水処理施設の曝気槽（１１）から曝気槽用圧送ポンプ（１２）によって移送される余剰汚泥を一時的に貯留し，内部に散気装置（２４）を備える余剰汚泥貯留槽（２０）と、前記廃水処理施設の放流槽（１６）から放流槽用圧送ポンプ（１７）によって移送される処理水を，一時的に貯留する処理水槽（２７）と、前記余剰汚泥貯留槽から余剰汚泥移送ポンプ（２１）によって移送される一定量の余剰汚泥と，前記処理水槽から処理水移送ポンプ（２８）によって移送される一定量の処理水を貯留し，内部にオゾン混和槽用循環ポンプ（３６）を備えるオゾン混和槽（３５）と、前記オゾン混和槽に貯留した前記余剰汚泥と処理水との混合汚水を，吸水管（４２）および混合管（４６）を通して混気ポンプ（４５）で一定時間繰り返し循環させ，その循環途中に，オゾン発生機（４０）で発生させた高濃度オゾンを注入した後，超微細気泡装置（４７）を通過させ，前記混合汚水を清浄化した処理水Ｗに生成する循環機構（４４）と、前記オゾン混和槽の前記処理水が，処理水移送ポンプ（３８）によって移送管（３９）を通して移送された後，処理水圧送ポンプ（３１）によって処理水移送管（６４）を通して前記廃水処理施設の放流槽へ送られるまで貯留する処理水貯留槽（３０）と、前記オゾン混和槽で溶解しなかった排オゾンを規定濃度以下に処理して放出する排オゾン除去装置（５０）と、を備えることを特徴とする余剰汚泥減量設備。
【請求項４】
産業排水を廃水処理施設（２）で処理した際に発生する余剰汚泥（Ｓ）を連続的に処理する移動式の設備であって、前記廃水処理施設の余剰汚泥濃縮槽（１５）から余剰汚泥圧送ポンプ（１８）によって移送される余剰汚泥と，前記廃水処理施設の曝気槽（１１）から曝気槽用圧送ポンプ（１２）によって移送される余剰汚泥を一時的に貯留し，内部に散気装置（２４）を備える余剰汚泥貯留槽（２０）と、前記廃水処理施設の放流槽（１６）から放流槽用圧送ポンプ（１７）によって移送される処理水を，一時的に貯留する処理水槽（２７）と、前記余剰汚泥貯留槽から余剰汚泥移送ポンプ（２１）によって移送される一定量の余剰汚泥と，前記処理水槽から処理水移送ポンプ（２８）によって移送される一定量の処理水を貯留し，内部にオゾン混和槽用循環ポンプ（３６）を備えるオゾン混和槽（３５）と、前記オゾン混和槽に貯留した前記余剰汚泥と処理水との混合汚水を，吸水管（４２）および混合管（４６）を通して混気ポンプ（４５）で一定時間繰り返し循環させ，その循環途中に，オゾン発生機（４０）で発生させた高濃度オゾンを注入した後，超微細気泡装置（４７）を通過させ，前記混合汚水を清浄化した処理水Ｗに生成する循環機構（４４）と、前記オゾン混和槽の前記処理水が，処理水移送ポンプ（３８）によって移送管（３９）を通して移送された後，処理水圧送ポンプ（３１）によって処理水移送管（６４）を通して前記廃水処理施設の沈殿槽越流堰（１４）を介して放流槽（１６）へ送られるまで貯留する処理水貯留槽（３０）と、前記オゾン混和槽で溶解しなかった排オゾンを規定濃度以下に処理して放出する排オゾン除去装置（５０）と、を備えることを特徴とする余剰汚泥減量設備。
【請求項５】
処理水貯留槽（３０）に泡が発生した際に、消泡剤を、消泡タンク（５５）から定量ポンプ（５６）によって消泡剤移送管（６５）を通して供給し、前記泡を消す消泡装置（５７）を設けたことを特徴とする請求項１乃至４のいずれか１に記載の余剰汚泥減量設備。
【発明の詳細な説明】
【技術分野】
【０００１】
本発明は、産業排水を廃水処理施設で処理した際に発生する余剰汚泥を効率的に減量化することのできる定置式および移動式の余剰汚泥減量設備に関するものである。
【背景技術】
【０００２】
近年、地球環境への関心が高まっており、環境問題は、快適な生活を営み、後世に美しい自然環境を残すためにも、地域社会と自治体などが取り組む必要がある。こうした中、例えば、食品産業界では、食品製造によって発生する廃水を活性汚泥施設で処理した際に発生する余剰汚泥の処理方法や、排水処理工程での省エネルギー化およびエネルギー回収化が進められている。中でも余剰汚泥（産業廃棄物）の処理方法が、コストの点からも、重要な課題となっている。
【０００３】
本発明を示す図１〜図３を参考にして、従来技術の廃水処理施設２について説明する。排水中に含まれる食材等の有機廃材を含んだ汚水は、排水管路を経由して汚水と一緒に廃水処理施設２の前処理槽１０に断続的に送入される。前処理槽１０内では、夾雑物等を除去しながら徐々に液面が上昇する。その液面が上限水位に達すると、前処理槽１０内の液体は、断続作動のポンプ（図示省略）によって、下限水位になる迄隣接する調整槽１０ａに送られる。調整槽１０ａに隣接して曝気槽１１が設けてあり、曝気槽１１内の液体は、好気的生物学的処理が行われ、処理済後、異物の少ない上澄液は隣接する沈殿槽１４ａに断続的に送られ、有機廃材を含んだ汚水の流入量により断続作動のポンプ（図示せず）が働いて調整槽１０ａ内の液体を曝気槽１１に送り、曝気槽１１内の液面で上限水位まで上昇させ、曝気槽１１内の液体を曝気し、好気的生物学的処理を行う。沈殿槽１４ａ内では、汚泥が重力沈下し、上澄液が出来る。沈殿槽１４ａ内の上澄液は殺菌処理装置４３を介して放流槽１６に送られ、次いで下水道又は排水路等１６ａに放流される。沈殿槽１４ａの下層に溜まった高濃度の含水汚泥は、沈殿槽用ポンプ１４ｂによって断続的に適宜汚泥貯留槽１５に送られる。そして汚泥貯留槽１５に溜まった高濃度の汚泥量が所定量になると、バキュームカー等で運び出し、脱水および焼却によって減容した後、埋立て処分している。
【発明の概要】
【発明が解決しようとする課題】
【０００４】
しかし、近年では埋立て処分地の確保が困難となっていることから、処分コストが高騰している。この傾向は、今後も変わらないと予測されている。また、余剰汚泥を焼却する際に発生する二酸化炭素は地球温暖化の要因であることから、こうした問題を解決する必要もある。
【０００５】
本発明はこうした問題に鑑み創案されたもので、産業排水を廃水処理施設で処理した際に発生する余剰汚泥を、より効率的に減量化することのできる余剰汚泥減量設備を提供することを課題とする。
【課題を解決するための手段】
【０００６】
図１及び図２を参照して説明する。請求項１，２に記載の余剰汚泥減量設備１は、産業排水を廃水処理施設２で処理した際に発生する余剰汚泥Ｓを連続的に処理する定置式の設備である。
【０００７】
この設備１は、前記廃水処理施設２の汚泥濃縮槽１５から汚泥濃縮用圧送ポンプ１８によって移送される汚泥Ｓと、前記廃水処理施設２の曝気槽１１から曝気槽用圧送ポンプ１２によって移送される汚泥Ｓと、前記廃水処理施設２の放流槽１６から放流槽用圧送ポンプ１７によって移送される処理水Ｗを貯留し、内部にオゾン混和槽用循環ポンプ３６を備えるオゾン混和槽３５を備える。
【０００８】
また、前記オゾン混和槽３５に貯留した前記汚泥Ｓと処理水との混合汚水を、吸水管４２および混合管４６を通して混気ポンプ４５で一定時間繰り返し循環させ、その循環途中に、オゾン発生機４０で発生させた高濃度オゾンを注入した後、超微細気泡装置４７を通過させ、前記混合汚水を清浄化した処理水Ｗに生成する循環機構４４を備える。なお、オゾン発生機４０は、空気中の酸素からオゾンを生成する。
【０００９】
また、前記オゾン混和槽３５の前記処理水Ｗが、処理水移送ポンプ３８によって移送管３９を通して移送された後、処理水圧送ポンプ３１によって処理水移送管６４を通して前記廃水処理施設２の放流槽１６へ直接又は沈殿槽１３の越流堰１４を介して放流槽１６へ送られるまで貯留する処理水貯留槽３０を備える。
【００１０】
さらに、前記オゾン混和槽３５で溶解しなかった排オゾンを規定濃度以下に処理して放出する排オゾン除去装置５０を備える。
【００１１】
図３〜図５を参照して説明する。請求項３，４に記載の余剰汚泥減量設備１は、産業排水を廃水処理施設２で処理した際に発生する余剰汚泥Ｓを連続的に処理する移動式の設備である。
【００１２】
この設備１は、前記廃水処理施設２の汚泥濃縮槽１５から汚泥濃縮用圧送ポンプ１８によって移送される汚泥Ｓと、前記廃水処理施設２の曝気槽１１から曝気槽用圧送ポンプ１２によって移送される汚泥Ｓを一時的に貯留し、内部に散気装置２４を備える余剰汚泥貯留槽２０を備える。
【００１３】
また、前記廃水処理施設２の放流槽１６から放流槽用圧送ポンプ１７によって移送される処理水を、一時的に貯留する希釈水槽２７を備える。
【００１４】
また、前記余剰汚泥貯留槽２０から余剰汚泥移送ポンプ２１によって移送される一定量の汚泥Ｓと、前記希釈水槽２７から希釈水移送ポンプ２８によって移送される一定量の処理水を貯留し、内部にオゾン混和槽用循環ポンプ３６を備えるオゾン混和槽３５を備える。
【００１５】
また、この減量設備１は、前記オゾン混和槽３５に貯留した前記汚泥Ｓと処理水との混合汚水を、吸水管４２および混合管４６を通して混気ポンプ４５で一定時間繰り返し循環させ、その循環途中に、オゾン発生機４０で発生させた高濃度オゾンを注入した後、超微細気泡装置４７を通過させ、前記混合汚水を清浄化した処理水Ｗに生成する循環機構４４を備える。
【００１６】
また、前記オゾン混和槽３５の前記処理水Ｗが、処理水移送ポンプ３８によって移送管３９を通して移送された後、処理水圧送用ポンプ３１によって処理水移送管６４を通して前記廃水処理施設２の放流槽１６へ直接又は沈殿槽１３の越流堰１４を介して放流槽１６へ送られるまで貯留する処理水貯留槽３０を備える。
【００１７】
さらに、前記オゾン混和槽３５で溶解しなかった排オゾンを規定濃度以下に処理して放出する排オゾン除去装置５０を備える。
【００１８】
請求項５に記載の余剰汚泥減量設備１は、請求項１〜４のいずれか１に記載の発明において、処理水貯留槽３０に泡が発生した際に、消泡剤を、消泡タンク５５から定量ポンプ５６によって消泡剤移送管６５を通して供給し、前記泡を消す消泡装置５７を備える。
【発明の効果】
【００１９】
請求項１，２に記載の余剰汚泥減量設備１は、産業排水を廃水処理施設２で処理した際に発生する余剰汚泥Ｓを、効率的に減量化することができる。
【００２０】
すなわち、オゾン混和槽３５に、廃水処理施設２から余剰汚泥Ｓと処理水Ｗを移送して混合し、その混合汚水を、循環機構４４の吸水管４２および混合管４６を循環させながら、オゾン発生機４０で発生させた高濃度オゾンを注入した後、超微細気泡装置４７を通過させるので、この高濃度オゾンと超微細気泡とによって清浄化した処理水Ｗに生成することができる。
【００２１】
すなわち、余剰汚泥Ｓを一定量の処理水Ｗによって希釈し、高濃度オゾンと超微細気泡（ナノ気泡）に一定時間接触させることにより、余剰汚泥Ｓを構成する菌体（微生物）を強力な酸化力で、その細胞壁を破壊して分解する。従って、放流することのできる清浄な処理水Ｗを、確実に生成することができる。
【００２２】
なお、オゾン発生機４０は空気中の酸素から高濃度オゾンを生成するので、処理コストの軽減を図ることができる。また、汚泥Ｓを高濃度オゾンによって処理するので悪臭が発生しない。また、オゾン発生機４０および当該設備１の構成を簡単なものとすることができる。
【００２３】
また、この処理水Ｗは処理水貯留槽３０を経て廃水処理施設２の放流槽１６へ直接又は沈殿槽１３の越流堰１４を介して放流槽１６へ送られた後、放流槽１６を通して下水道等１６ａに放流される。
【００２４】
なお、この余剰汚泥処理設備１は、廃水処理施設２に近接して設置される定置式であるので、必要に応じていつでも余剰汚泥Ｓの減量化を図ることができる。また、この設備１は、廃水処理施設２の放流槽に貯留した処理水Ｗを利用するので、水道水等を使用する必要がなく経済的である。さらに、この余剰汚泥減量設備１は、排オゾン除去装置５０によってオゾン混和槽３５で溶解しなかった排オゾンを規定濃度以下に処理して放出するので環境を汚染することがない。
【００２５】
また、この余剰汚泥減量設備１は、廃水処理施設２の放流槽に貯留した処理水Ｗを利用するので、水道水等を使用する必要がなく経済的である。また、この設備１は、排オゾン除去装置５０によってオゾン混和槽３５で溶解しなかった排オゾンを規定濃度以下に処理して放出するので環境を汚染することがない。
【００２６】
請求項３，４に記載の余剰汚泥処理設備１も、同様に、産業排水を廃水処理施設２で処理した際に発生する余剰汚泥Ｓを、効率的に減量化することができる。
【００２７】
すなわち、オゾン混和槽３５に、廃水処理施設２から余剰汚泥Ｓと処理水Ｗを、余剰汚泥貯留槽２０と処理水槽２７を介して、移送して混合し、その混合汚水を、循環機構４４の吸水管４２および混合管４６を循環させながら、オゾン発生機４０で発生させた高濃度オゾンを注入した後、超微細気泡装置４７を通過させるので、この高濃度オゾンと超微細気泡とによって当該混合汚水を効果的に清浄化した処理水Ｗに生成することができる。なお、この処理水Ｗは処理水貯留槽３０を経て廃水処理施設２の放流槽１６へ直接又は沈殿槽１３の越流堰１４を介して放流槽１６へ送られた後、下水道等１６ａへ放流される。
【００２８】
なお、この余剰汚泥処理設備１の処理水貯留槽３０及びオゾン混和槽３５は、トラック等の移動車に搭載される移動式であるので、複数の廃水処理施設２及び余剰汚泥貯留槽及び希釈水槽２７を設置してある場所を巡回して、各施設２の汚泥の減量化を図ることができる。
【００２９】
請求項５に記載の余剰汚泥減量設備１は、請求項１〜４のいずれか１に記載の発明の効果を発揮する。また、この設備１は、処理水貯留槽３０に泡が発生した際に、消泡剤を、消泡タンク５５から定量ポンプ５６によって消泡剤移送管６５を通して供給し、その泡を消す消泡装置５７を設けているので、泡が漏出して周囲の環境を汚染することがない。
【図面の簡単な説明】
【００３０】
【図１】本発明の第一実施形態に係る余剰汚泥減量設備と廃水処理施設を示す側面図である。
【図２】図１の平面図である。
【図３】本発明の第二実施形態に係る余剰汚泥減量設備と廃水処理施設を示す側面図である。
【図４】図３の余剰汚泥減量設備部分の平面図である。
【図５】図３の廃水処理設備部分の平面図である（廃水処理施設のみを示す）。
【発明を実施するための形態】
【００３１】
本発明に係る余剰汚泥減量設備１の第一実施形態を、図１および図２に示す。この設備１は、食品を製造する際に発生する産業排水を廃水処理施設２で処理した際に生じる余剰汚泥Ｓを連続的に処理するものであり、廃水処理施設２に近接して設けられるいわゆる定置式である。
【００３２】
廃水処理施設２について説明する。排水中に含まれる食材等の有機廃材を含んだ汚水は、排水管路を経由して汚水と一緒に廃水処理施設２の前処理槽１０に断続的に送入される。前処理槽１０内では、夾雑物等を除去しながら徐々に液体が上昇する。その液面が上限水位に達すると、前処理槽１０内の液体は、断続作動のポンプ（図示省略）によって、下限水位になる迄隣接する調整槽１０ａに送られる。調整槽１０ａに隣接して曝気槽１１が設けてあり、曝気槽１１内の液体には、好気的生物学的処理が行われ、処理済後、異物の少ない上澄液は隣接する沈殿槽１４ａに断続的に送られ、有機廃材を含んだ汚水の流入量により、断続作動のポンプ（図示せず）が働いて調整槽１０ａ内の液体を曝気槽１１に送り、曝気槽１１内の液体を曝気し、好気的生物学的処理を行う。沈殿槽１４ａ内では汚泥が重力沈下し、上澄液が出来る。汚泥槽１４ａ内の上澄液は殺菌処理装置４３を介して放流槽１６に送られ、次いで下水道又は排水路等１６ａに放流される。沈殿槽１４ａの下層に溜まった高濃度の含水汚泥は、沈殿槽用ポンプ１４ｂによって断続的に適宜汚泥貯留槽１５に送られる。
【００３３】
汚泥を導入させる前処理槽１０と前処理槽１０から出た汚水を導入させる曝気槽１１と、曝気槽１１から出た汚水を導入させる沈殿槽１３と、沈殿槽１３の上澄液を導入させる。且つ外部に放流する放流槽１６と沈殿槽１３の上澄液を導入させ且つ外部から適宜汚泥を抜取る汚泥濃縮槽１５を含む設備により、廃水処理施設２は構成されている。本発明の設備１は、オゾン混和槽３５、循環機構４４、処理水貯留槽３０、排オゾン除去装置５０、および消泡装置５７を備える。なお、図の配管中、単に交わっている２つの配管は非接続で、黒点を打ってある箇所は接続している。
【００３４】
また、設備１の各槽の天井近くに開口するオーバーフロー管２６および各槽の底に開口するドレーンホール２６ａ及び断切自在に接続した返送管６６を通して貯留する前処理槽１０を備える。
【００３５】
オゾン混和槽３５は、廃水処理施設２の余剰汚泥濃縮槽１５から余剰汚泥圧送ポンプ１８によって、余剰汚泥圧送管６１を通して移送される余剰汚泥Ｓと、廃水処理施設２の曝気槽１１からポンプ１２によって、前記余剰移送管６１を通して移送される余剰汚泥Ｓと、廃水処理施設２の放流槽１６から放流槽用圧送ポンプ１７によって処理水圧送管６０を通して移送される処理水Ｗを貯留するものである。なお、この余剰汚泥Ｓは、きょう雑防止網４８を通過させており、これによってきょう雑物（異物）の移送を阻止している。
【００３６】
この処理水Ｗは、本余剰汚泥減量装置によって生成された後、放流槽１６に移送されたものである。こうした処理水Ｗを使用するので、水道水などを使用する必要がなく、従って処理コストを低減することができる。
【００３７】
このオゾン混和槽３５の内部にはオゾン混和槽用循環ポンプ３６を設けており、この循環ポンプ３６によってオゾン混和槽３５の内部に貯留されている余剰汚泥Ｓと処理水Ｗを循環して効果的に混合する。これにより、余剰汚泥Ｓが処理水Ｗと分離して沈殿するのを防止し、余剰汚泥処理の確実性および迅速化を図っている。
【００３８】
循環機構４４は、オゾン混和槽３５に貯留した余剰汚泥Ｓと処理水との混合汚水を、吸水管４２および混合管４６を通して混気ポンプ４５で一定時間繰り返し循環させる。そして、その循環途中の吸水管４２に、オゾン発生機４０で発生させた高濃度オゾンを注入し、この高濃度オゾンによって混合汚水を清浄化する。
【００３９】
また、混合管４６の途中に超微細気泡装置４７を設け、混合汚水をこの装置４７に通過させて超微細気泡（酸素）を供給し、混合汚水をさらに清浄化した処理水Ｗを生成する。この高濃度オゾンと超微細気泡を供給することによって、混合汚水を清浄な処理水Ｗに生成することができる。
【００４０】
処理水貯留槽３０は、オゾン混和槽３５で生成された処理水Ｗが、処理水移送ポンプ３８によって返送管３９を通して移送された後、処理水圧送ポンプ３１によって処理水移送管６４を通して廃水処理施設２の放流槽１６へ直接又は沈殿槽１４ａの越流堰１４を介して放流槽１６へ送られるまで貯留する。なお、処理水移送ポンプ３８はオゾン混和槽３５の上部に設けており、これにより、より清浄な処理水（いわゆる上澄み水）Ｗのみを処理水貯留槽３０に移送するようにしている。
【００４１】
なお、放流槽１６へ直接又は沈殿槽越流堰１４を介して放流槽１６へ送られた処理水Ｗは、殺菌処理装置４３で殺菌された後、放流槽１６に送られる。この放流槽１６に送られた処理水Ｗは外部に放流されるが、その一部が、前記したようにオゾン混和槽３５に送られて有効利用される。
【００４２】
排オゾン除去装置５０はオゾン分解触媒材を収納し、オゾン混和槽３５で混合汚水に溶解しなかった排オゾンを、圧送ファンによって排オゾン移送管５１を通して受け入れた後、規定濃度以下に処理し、排オゾン排出管５４を通して放出する。これにより、排オゾンの放出を防止して環境汚染の防止を図ることができる。
【００４３】
また、消泡装置５７は、処理水貯留槽３０に泡が発生した際に、消泡剤を、消泡タンク５５から定量ポンプ５６によって消泡剤移送管６５および消泡スプレー３７を通して供給してその泡を消す。これにより、泡が漏出して周囲を汚染するといった事態を防止することができる。
【００４４】
なお、この余剰汚泥処理設備１は、廃水処理施設２に近接して設置される定置式であるので、必要に応じていつでも稼働して余剰汚泥Ｓの減量化を図ることができる。
【００４５】
本発明に係る余剰汚泥減量設備１の第二実施形態を、図３乃至図５に示す。この設備１も、食品製造などによって発生する産業排水を廃水処理施設２で処理した際に生じる余剰汚泥Ｓを連続的に処理するものである。なお、図４中のＡ，Ｂ，Ｃ，Ｄは、それぞれ図５中のＡ，Ｂ，Ｃ，Ｄに断接可能接続具ａ，ｂ，ｃ，ｄを介して連続する。
【００４６】
なお、この設備１の処理水貯留槽３０，オゾン混和槽３５は、トラックなどの移動車に搭載されて移動し、複数の廃水処理施設２及び余剰汚泥Ｓを減量化するものである。従って、複数の廃水処理施設２を巡回して余剰汚泥Ｓの減量化を図ることができるので、余剰汚泥Ｓの処理コストを大幅に低減することができるといった大きな利点がある。
【００４７】
この移動式の余剰汚泥減量設備１は、余剰汚泥貯留槽２０、処理水槽２７、オゾン混和槽３５、循環機構４４、処理水貯留槽３０、排オゾン除去装置５０、および消泡装置５７を備える。
【００４８】
余剰汚泥貯留槽２０は、廃水処理施設２の余剰汚泥濃縮槽１５から余剰汚泥圧送ポンプ１８によって、余剰汚泥圧送管６１を通して移送される余剰汚泥Ｓと、前記廃水処理施設２の曝気槽１１から曝気槽用圧送ポンプ１２によって、余剰汚泥圧送管６１を通して、移送される余剰汚泥Ｓを一時的に貯留する。なお、この余剰汚泥貯留槽２０の内部には、送風機２２および空気管２３によって空気（酸素）を、余剰汚泥Ｓに供給するための散気装置２４を設けている。
【００４９】
処理水槽２７は、廃水処理施設２の放流槽１６から放流槽用圧送ポンプ１７によって、処理水圧送管６０を通して移送される処理水を、一時的に貯留した後、処理水移送ポンプ２８によって、処理水送水管６２を通してオゾン混和槽３５へ移送する。
【００５０】
オゾン混和槽３５は、余剰汚泥貯留槽２０から余剰汚泥移送ポンプ２１によって、余剰汚泥移送管６３を通して移送される一定量の余剰汚泥Ｓと、前記処理水槽２７から処理水移送ポンプ２８によって、希釈送水管６２を通して移送される一定量の処理水を貯留する。このオゾン混和槽３５の内部には、オゾン混和槽用循環ポンプ３６を設けている（このポンプ３６の働きは、第一実施形態と同様である）。
【００５１】
なお、この余剰汚泥減量設備１は移動式であり、前記の余剰汚泥貯留槽２０と処理水槽２７を設けることで、廃水処理施設２から移送した余剰汚泥Ｓと処理水Ｗによって、廃水処理施設２から離れた場所でも余剰汚泥Ｓの減量化を行うことができる。
【００５２】
循環機構４４は、第一実施形態と同様の構成である。すなわち、オゾン混和槽３５に貯留した余剰汚泥Ｓと処理水との混合汚水を、吸水管４２および混合管４６を通して混気ポンプ４５で一定時間繰り返し循環させる。そして、その循環途中の吸水管４２に、供給管４１を介して、オゾン発生機４０で発生させた高濃度オゾンを注入し、この高濃度オゾンによって混合汚水を清浄化する。
【００５３】
また、混合管４６の途中に超微細気泡装置４７を設け、混合汚水をこの超微細気泡装置４７に通過させて超微細気泡（酸素）を供給し、混合汚水をさらに清浄化した処理水Ｗを生成する。この高濃度オゾンと超微細気泡を供給することによって、混合汚水を正常な処理水Ｗに生成することができる。
【００５４】
処理水貯留槽３０も第一実施形態と同様の構成であり、オゾン混和槽３５で生成された処理水Ｗが、処理水移送ポンプ３８によって移送管３９を通して処理水貯留槽３０へ移送された後、処理水圧送ポンプ３１によって処理水移送管６４を通して廃水処理施設２の放流槽１６へ直接又は沈殿槽越流堰１４を介して放流槽１６へ送られるまで貯留する。なお、処理水移送ポンプ３８はオゾン混和槽３５の上部に設けており、これにより、より清浄な処理水（いわゆる上澄み水）Ｗのみを処理水貯留槽３０に移送するようにしている。
【００５５】
なお、放流槽１６へ直接又は沈殿槽越流堰１４を介して放流槽１６へ送られた処理水Ｗは、殺菌処理装置４３で殺菌された後、放流槽１６に送られる。この放流槽１６に送られた処理水Ｗは外部の下水道等１６ａに放流されるが、その一部が、前記したようにオゾン混和槽３５に送られて有効利用される。
【００５６】
排オゾン除去装置５０も、第一実施形態と同様に、オゾン混和槽３５で混合汚水に溶解しなかった排オゾンを規定濃度以下に処理して放出する。これにより、排オゾンの放出を防止して環境汚染の防止を図っている。
【００５７】
また、消泡装置５７も同様に、処理水貯留槽３０に泡が発生した際に、消泡剤を、消泡タンク５５から定量ポンプ５６によって消泡剤移送管６５および消泡スプレー３７を通して供給してその泡を消す。これにより、泡の漏出による周囲の汚染を防止している。
【符号の説明】
【００５８】
１        余剰汚泥減量設備
２        廃水処理施設
１０      主処理槽
１０ａ    調整槽
１１      曝気槽
１２      曝気槽用圧送ポンプ
１４      沈殿槽越流堰
１４ａ    沈殿槽
１４ｂ    沈殿槽用ポンプ
１５      余剰汚泥濃縮槽
１６      放流槽
１６ａ    下水道等
１７      放流槽用圧送ポンプ
１８      余剰汚泥圧送ポンプ
２０      余剰汚泥貯留槽
２１      余剰汚泥移送ポンプ
２２      送風機
２３      空気管
２４      散気装置
２６      オーバーフロー管
２６ａ    ドレーンホール
２７      処理水槽
２８      処理水移送ポンプ
３０      処理水貯留槽
３１      処理水圧送用ポンプ
３５      オゾン混和槽
３６      オゾン混和槽用循環ポンプ
３７      消泡スプレー
３８      処理水移送ポンプ
３９      移送管
４０      オゾン発生機
４１      供給管
４２      吸水管
４３      殺菌処理装置
４４      循環機構
４５      混気ポンプ
４６      混合管
４７      超微細気泡装置
４８      きょう雑物防止網
４９      旋回流板
５０      排オゾン除去装置
５１      排オゾン移送管
５２      圧送ファン
５４      排オゾン排出管
５５      消泡タンク
５６      定量ポンプ
５７      消泡装置
６０      処理水圧送管
６１      余剰汚泥圧送管
６２      処理水送水管
６３      余剰汚泥移送管
６４      処理水移送管
６５      消泡剤移送管
６６      オーバーフロー水移送管
ａ，ｂ，ｃ，ｄ    断接具
Ｓ        余剰汚泥
Ｗ        処理水
【図１】
2010221077.tif 000003
【図２】
2010221077.tif 000004
【図３】
2010221077.tif 000005
【図４】
2010221077.tif 000006
【図５】
2010221077.tif 000007